Podtech/llm-jp-corpus-v4-ja_patent huggingface dataset:
【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
表面に、アミノ基（ＮＨ２−）、アミド基（−ＣＯ−ＮＨ−）、アジド基（Ｎ３−）、シアン基（ＣＮ−）、シアン酸塩（ＯＣＮ−）、カルボン酸塩（−ＣＯＯ−）のうちの少なくとも一種の官能基または不純物を有し、可視光照射下において光触媒活性を示すことを特徴とする光触媒物質。
【請求項２】
酸化チタン又は酸窒化チタンを含むことを特徴とする請求項１に記載の光触媒物質。
【請求項３】
１２μＭ／ｃｃの濃度のインジゴカルミン水溶液に０．５ｍｇ／ｃｃを混合した場合における１時間当りの可視光照射時の吸光度減少率が０．２ＡＢＳ以上であることを特徴とする請求項１又は２に記載の光触媒物質。
【請求項４】
ＩＲスペクトル測定において、１５００ｃｍ−１以上３５００ｃｍ−１以下の領域にＨ２Ｏ及びＯＨに由来するピークの他に２つ以上のピークを示すことを特徴とする請求項１〜３のいずれか１つに記載の光触媒物質。
【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
非消耗性電極への給電に携わるＴＩＧトーチ用コレットボディの製造方法において、
所望の長さに切断した銅または銅合金よりなるパイプ材の軸芯部に硬線を挿入し、該パイプ材を一端部を除いた所望形状の鍛造金型により外方より軸芯方向に向って鍛造加工する第１の工程と、前記コレットボディの未鍛造部に雄ネジを形成する第２の工程と、前記パイプ材が鍛造されたコレットボディの軸芯部を軸線方向に加工し、鍛造された小孔方向側に先端面が縮径する円錐状凹部を形成する第３の工程と、前記鍛造後のコレットボディの中央外周部に雄ネジを形成する第４の工程と、前記鍛造後のコレットボディの先端側に、軸芯部の孔と外部とに連通する２個以上の半径方向の小孔を形成する第５の工程とよりなり、前記第１の工程後に前記第２乃至第５の工程を順不同で施すことを特徴とするＴＩＧトーチ用コレットボディの製造方法。
【請求項２】
非消耗性電極への給電に携わるＴＩＧトーチ用コレットボディの製造方法において、
所望の長さに切断した銅または銅合金よりなるパイプ材の一端部に雄ネジを形成する第２の工程と、前記パイプ材の軸芯部に硬線を挿入し、該パイプ材を前記雄ネジ部を除いた所望形状の鍛造金型により外方より軸芯方向に向って鍛造加工する第１の工程と、前記パイプ材が鍛造されたコレットボディの軸芯部を軸線方向に加工し、鍛造された小孔方向側に先端面が縮径する円錐状凹部を形成する第３の工程と、前記鍛造後のコレットボディの中央外周部に雄ネジを形成する第４の工程と、前記鍛造後のコレットボディの先端側に、軸芯部の孔と外部とに連通する２個以上の半径方向の小孔を形成する第５の工程とよりなり、前記第２の工程後に前記第１の工程を施し、この後前記第３乃至第５の工程を順不同で施すことを特徴とするＴＩＧトーチ用コレットボディの製造方法。
【請求項３】
前記第２の工程は、旋盤又は鍛造によるネジ下加工と転造又は切削によるネジ加工とよりなる請求項１又は請求項２に記載のＴＩＧトーチ用コレットボディの製造方法。
【手続補正書】
【提出日】平成15年9月29日(2003.9.29)
【手続補正１】
【補正対象書類名】明細書
【補正対象項目名】００１２
【補正方法】変更
【補正の内容】
【００１２】
以下の工程説明において括弧内の数字は図３の（ａ）〜（ｃ）に対応する。
（ａ）所定の非球面を有する金型７を水平に置き、金型７の中央部に所定量の光硬化型樹脂液６ａを垂らす。樹脂液６ａとしては、例えば、東亜合成化学株式会社製の商品名アロニックスUV3700又はアロニックス3033HVを用いた。ガラスレンズ５には、樹脂層６との接着力を向上させるために、その表面にシランカップリング処理が施されている。シランカップリング剤としては信越化学株式会社製の商品名KBM503を用い、これをエタノールに希釈して２wt％エタノール溶液として使用した。
（ｂ）ガラスレンズ５を金型７に向かって降下させ、ガラスレンズ５と金型７との間隔を接近させるにつれて、樹脂液６ａはガラスレンズ５と金型７の間隙で流動して広がっていく。


【手続補正２】
【補正対象書類名】明細書
【補正対象項目名】００１３
【補正方法】変更
【補正の内容】
【００１３】
（ｃ）ガラスレンズ５と金型７との間隔を所定値まで接近させ、この状態を保持して、光ファイバー束４にて導かれた光（紫外線）をガラスレンズ５を通して樹脂液６ａに照射した。光ファイバー束４の直径は7.5mm であり、光ファイバー束４の出射面と樹脂液６ａとの距離を10cmとした。光ファイバー束４の出射面は、ガラスレンズ５の中心軸の延長線上に定めた。この配置により、光ファイバー束４から出射した光は、樹脂層形成範囲（ガラスレンズ５の有効領域）を均一に照射する。
【手続補正書】
【提出日】平成15年10月6日(2003.10.6)
【手続補正１】
【補正対象書類名】明細書
【補正対象項目名】０００１
【補正方法】変更
【補正の内容】
【０００１】
【発明の属する技術分野】
本発明はカーテン塗布方法に係り、特に写真用フィルム、写真用印画紙、磁気記録テープ、接着テープ、感圧記録紙、オフセット版材、電池等の製造において、連続走行している帯状の被塗布部材（以下「ウエブ」と称する）に液状塗布組成物（以下「塗布液」と称する）を塗布するためのカーテン塗布方法に関する。


【手続補正２】
【補正対象書類名】明細書
【補正対象項目名】００１２
【補正方法】変更
【補正の内容】
【００１２】
また、カーテン膜状塗布液１２Ａの両側端には、リップ先端２２の近傍からカーテン膜状塗布液１２Ａがウエブ１０の被塗布面１０Ａに衝突する位置近傍まで一対のエッジガイド２６、２６が配設され、これによりカーテン膜状塗布液１２Ａが幅規制される。
更に、カーテン膜状塗布液１２Ａの落下径路には、その先端をＬ字型にして堰を形成した塗り付け板２８が配設される。この塗り付け板２８は、塗り付け前においては、２点鎖線で示すようにカーテン膜１２Ａの落下径路を遮るように配設される。塗り付け時（塗布作業開始時）においては、塗り付け板は実線で示すようにカーテン膜状塗布液１２Ａの落下径路から外れる。塗り付け板２８の先端に堰を形成するのは、この堰を介して塗り付け板２８をカーテン膜状塗布液１２Ａから外れるようにすることにより従来技術で述べた液溜まりの発生をなくすためである。そして、塗り付け板２８を落下径路から外れるようにするには、スライドホッパー１４及び塗り付け板２８の少なくとも一方を移動させることにより行う。例えば、塗り付け板２８の移動としては、図１に示すように２点鎖線の位置から実線の位置まで矢印方向３０に摺動させるか、或いは図２に示すように、塗り付け板２８の支点２８Ａを中心に矢印方向３２に回動させることにより行う。一方、スライドホッパーの移動としては、図１に示すように、塗り付け板２８の摺動方向（矢印３０方向）とは逆方向である矢印３４方向に移動させるか、或いは図２に示すように、塗り付け板２８の回動に合わせて矢印３４方向に移動させることにより行う。このスライドホッパー１４及び塗り付け板２８の少なくとも一方を移動させる時のスライドホッパー１４と塗り付け板２８の相対速度は、２０〜３５０ｍｍ／秒であることが必要である。尚、スライドホッパー１４の代わりにカーテン膜状塗布液１２Ａと塗り付け板２８との相対速度と考えても同じである。
【手続補正書】
【提出日】平成15年10月14日(2003.10.14)
【手続補正１】
【補正対象書類名】明細書
【補正対象項目名】特許請求の範囲
【補正方法】変更
【補正の内容】
【特許請求の範囲】
【請求項１】
ＮＦ3を含むガスをＣｒとＦｅとを含む合金と接触させることを特徴とする、ＮＦ3を含むガスの処理方法。
【請求項２】
ＮＦ3を含むガスが酸性フッ化物ガスも含み、
ＮＦ3を含むガスをＣｒとＦｅとを含む合金と接触させた後、さらに中和剤により処理することを特徴とする、請求項１に記載の処理方法。
【請求項３】
酸性フッ化物ガスがＨＦ、ＳｉＦ4、ＷＦ6、ＭｏＦ6、又はそれらの組み合わせである請求項２に記載の処理方法。
【請求項４】
中和剤がソーダライム、活性アルミナ、ＮａＯＨ、ＫＯＨ、ＣａＯ、又はそれらの組み合わせである請求項２又は３に記載の処理方法。
【請求項５】
ＣｒとＦｅとを含む合金を含む、ＮＦ3を含むガスの処理剤。
【請求項６】
Ｃｒ含有量が１６−２６重量％である請求項５に記載の処理剤。
【請求項７】
幅が１−１０ｍｍの帯状又はリボン状である請求項５又は６に記載の処理剤。
【手続補正２】
【補正対象書類名】明細書
【補正対象項目名】００２４
【補正方法】変更
【補正の内容】
【００２４】
【実施例１】
４インチ×６００ｍｍＨのニッケル製容器に層高４００ｍｍになるようリボン状のＣｒ−Ｆｅ合金（幅５ｍｍ、厚み０．０５ｍｍ、Ｃｒ１９％、Ｎｉ９％、残部Ｆｅ）３．５ｋｇを充填し、充填物の中心が４００±３００℃になるよう外部からヒーターで加熱した。ＮＦ3２ｖｏｌ％、Ｎ2９８ｖｏｌ％の混合ガスを５ｌ／ｍｉｎの流量で流し、１０時間の連続処理を行った。１時間毎の排ガスサンプルをガスクロマトグラフィーで分析した。排ガス組成は常にＮ2のみであった。


【手続補正３】
【補正対象書類名】明細書
【補正対象項目名】００２６
【補正方法】変更
【補正の内容】
【００２６】
【実施例２】
実施例１と同じ容器に層高２００ｍｍになるようソーダライム１．２ｋｇを装填し、その上に層高２００ｍｍになるようリボン状のＣｒ−Ｆｅ合金（幅５ｍｍ、厚み０．０５ｍｍ、Ｃｒ１９％、Ｎｉ９％、残部Ｆｅ）１．８ｋｇを装填した。ＮＦ3２ｖｏｌ％、ＨＦ０．０４ｖｏｌ％、ＳｉＦ4０．４ｖｏｌ％、ＷＦ6１．６ｖｏｌ％、ＮＯ2０．００５％、Ｎ2９６％から成る混合ガスを５ｌ／ｍｉｎの流量で容器の上部から流し、実施例１と同じ連続処理を行ないながら１時間毎の排ガスサンプルを分析した。排ガス組成は常にＮ2であり、ＮＦ3、酸性フッ化物は検出されなかった。


【手続補正４】
【補正対象書類名】明細書
【補正対象項目名】００２７
【補正方法】変更
【補正の内容】
【００２７】
【実施例３】
実施例１と同じ容器に層高２００ｍｍになるよう粒状ＮａＯＨ１．４ｋｇを装填し、その上に層高２００ｍｍになるようリボン状のＣｒ−Ｆｅ合金（幅５ｍｍ、厚み０．０５ｍｍ、Ｃｒ１９％、Ｎｉ９％、残部Ｆｅ）１．８ｋｇを装填した。ＮＦ3２ｖｏｌ％、ＨＦ０．０４ｖｏｌ％、ＳｉＦ4０．４ｖｏｌ％、ＷＦ6１．６ｖｏｌ％、ＮＯ2０．００５％、Ｎ2９６％から成る混合ガスを５ｌ／ｍｉｎの流量で容器の上部から流し、実施例１と同じ連続処理を行ないながら１時間毎の排ガスサンプルを分析した。排ガス組成は常にＮ2であり、ＮＦ3、酸性フッ化物は検出されなかった。


【手続補正５】
【補正対象書類名】明細書
【補正対象項目名】００２８
【補正方法】変更
【補正の内容】
【００２８】
【実施例４】
実施例１と同じ容器に層高１００ｍｍになるようにソーダライム０．６ｋｇを充填し、その上に層高１００ｍｍになるように活性アルミナ０．６ｋｇを、さらにその上に層高２００ｍｍになるようにリボン状のＣｒ−Ｆｅ合金（幅５ｍｍ、厚み０．０５ｍｍ、Ｃｒ１９％、Ｎｉ９％、残部Ｆｅ）を装填した。ＮＦ3３ｖｏｌ％、ＨＦ０．０５％、ＳｉＦ4０．０３％、ＷＦ6１．４％、ＭｏＦ6ｔｒ．、Ｎ2９９．５％から成る混合ガスを５ｌ／ｍｉｎの流量で容器の上部から流し、実施例１と同じ連続処理を行ないながら１時間毎の排ガスサンプルを分析した。排ガス組成は常にＮ2のみであり、ＮＦ3、酸性フッ化物は検出されなかった。


【手続補正６】
【補正対象書類名】明細書
【補正対象項目名】００２９
【補正方法】変更
【補正の内容】
【００２９】
【実施例５】
実施例１と同じ容器に層高２００ｍｍになるようにソーダライム０．６ｋｇと粒状ＫＯＨ０．７ｋｇの混合物を充填し、その上に層高２００ｍｍになるようにリボン状のＣｒ−Ｆｅ合金（幅３ｍｍ、厚み０．０３ｍｍ、Ｃｒ１７％、Ｎｉ７％、残部Ｆｅ）を装填した。ＮＦ3３ｖｏｌ％、ＨＦ０．０５％、ＳｉＦ4０．０３％、ＷＦ6１．４％、ＭｏＦ6ｔｒ．、Ｎ2９９．５％から成る混合ガスを５ｌ／ｍｉｎの流量で容器の上部から流し実施例１と同じ連続処理を行ないながら１時間毎の排ガスサンプルを分析した。排ガス組成は常にＮ2であり、ＮＦ3、酸性フッ化物は検出されなかった。


【手続補正７】
【補正対象書類名】明細書
【補正対象項目名】００３０
【補正方法】変更
【補正の内容】
【００３０】
【比較例１】
（処理順序逆転）
実施例１と同じ容器に層高２００ｍｍになるようにリボン状のＣｒ−Ｆｅ合金を充填し、その上に層高２００ｍｍになるようにソーダライム１．２ｋｇを充填した。ＮＦ3３ｖｏｌ％、ＨＦ０．０５％、ＳｉＦ4０．０３％、ＷＦ6１．４％、ＭｏＦ6ｔｒ．、Ｎ2９９．５％から成る混合ガスを５ｌ／ｍｉｎの流量で容器の上部から流し実施例１と同じ連続処理を行ないながら１時間毎の排ガスサンプルを分析した。排ガス中には平均組成として、ＮＦ3０．２％、ＮＯ０．６％、Ｎ2０．３％ＮＯ2０．０７％が検出された。
【手続補正書】
【提出日】平成15年9月25日(2003.9.25)
【手続補正１】
【補正対象書類名】明細書
【補正対象項目名】００２８
【補正方法】変更
【補正の内容】
【００２８】
上記した従来の多孔質高分子膜Ａ、本発明の多孔質高分子膜Ｂ，Ｃ，Ｄ，Ｅ，Ｆを用い、流速を４５ｍ／日、濾過終了時の膜間差圧を１００ｋＰａとして工業用水の濾過を行い、単位面積当たりの濾過量を調査するとともに、本発明の多孔質高分子膜Ｂ，Ｃ，Ｄ，Ｅ，Ｆで濾過した濾液中に溶出する二酸化チタンの量を調査したところ、本発明の多孔質高分子膜Ｄ，Ｅ，Ｆでは、従来の多孔質高分子膜Ａに対して単位面積当たりの濾過量は１０倍以上であった。また、本発明の多孔質高分子膜Ｂ，Ｃ，Ｄ，Ｅ，Ｆで濾過した濾液中には二酸化チタンは溶出していなかった。


【手続補正２】
【補正対象書類名】明細書
【補正対象項目名】００２９
【補正方法】削除
【補正の内容】
【手続補正３】
【補正対象書類名】明細書
【補正対象項目名】００３０
【補正方法】削除
【補正の内容】
【手続補正書】
【提出日】平成16年1月14日(2004.1.14)
【手続補正１】
【補正対象書類名】明細書
【補正対象項目名】特許請求の範囲
【補正方法】変更
【補正の内容】
【特許請求の範囲】
【請求項１】
内部にフィルタカートリッジを収容した内側筒状ライナーと；
該内側筒状ライナーに取り付けられるとともに、前記内側筒状ライナーの第１端部から軸方向に延出している第１スリーブ部材を有した外側筒状ライナーと；
該外側筒状ライナー内に配置されるとともに、前記内側筒状ライナーの前記第１端部を密閉式に受領するエンドキャップと；
該エンドキャップ内に配置された第１ヘッドと；
該第１ヘッドを挿通して延在するとともに前記フィルタカートリッジに連通するポートと；
前記第１ヘッドに隣接して前記第１スリーブ部材内に着脱可能に固定されるとともに、前記ヘッドと前記エンドキャップとの間の密閉式係合を維持させ得る着脱可能なスナップリングと；
を具備してなり、
前記スナップリングは、前記第１ヘッドを軸方向に取り外すことによって、前記フィルタカートリッジに対するアクセスが可能であるよう、取外し可能とされていることを特徴とするフィルタおよびハウジングを備えるアセンブリ。
【請求項２】
前記外側ライナーが、フィラメント巻回法により形成されていることを特徴とする請求項１記載のフィルタおよびハウジングを備えるアセンブリ。
【請求項３】
前記フィルタカートリッジが、逆浸透性フィルタであることを特徴とする請求項１記載のフィルタおよびハウジングを備えるアセンブリ。
【請求項４】
前記第１ヘッドが、支持リングおよびシールプレートを備えて構成され、
前記支持リングは、前記内側ライナーの内部に配置され、前記シールプレートは、前記エンドキャップと密閉式に係合していることを特徴とする請求項１記載のフィルタおよびハウジングを備えるアセンブリ。
【請求項５】
前記シールプレートは、前記スナップリングに係合されていることを特徴とする請求項４記載のフィルタおよびハウジングを備えるアセンブリ。
【請求項６】
前記第１ヘッドは、さらに、前記支持リングと前記シールプレートとの間に延在するブリッジ部材を備えて構成されていることを特徴とする請求項４記載のフィルタおよびハウジングを備えるアセンブリ。
【請求項７】
前記第１ヘッドは、前面、および、反対側を向く後面を有し、前記ブリッジ部材は、前記前面から前記後面にわたって延在する流通チャネルを形成していることを特徴とする請求項６記載のフィルタおよびハウジングを備えるアセンブリ。
【請求項８】
前記支持リングは、前記エンドキャップのうちの、前記支持リングと前記シールプレートとの間に位置する内周面によって形成された空間と連通している、前記フィルタに対しての少なくとも１つの開口を形成し、
前記エンドキャップおよび前記スリーブ部材を挿通している側部ポートが、前記空間と連通していることを特徴とする請求項６記載のフィルタおよびハウジングを備えるアセンブリ。
【請求項９】
前記支持リングは、前記エンドキャップのうちの、前記支持リングと前記シールプレートとの間に位置する内周面によって形成された空間と連通している、前記フィルタに対しての少なくとも１つの開口を形成し、
前記ヘッドを挿通している端部ポートが、前記空間と連通していることを特徴とする請求項６記載のフィルタおよびハウジングを備えるアセンブリ。
【手続補正書】
【提出日】平成15年9月26日(2003.9.26)
【手続補正１】
【補正対象書類名】明細書
【補正対象項目名】特許請求の範囲
【補正方法】変更
【補正の内容】
【特許請求の範囲】
【請求項１】
ゴルフコースにおける現在地とコースエリア中の特定の地点との間の距離をグローバルポジショニングシステムを利用してゴルファに表示出力するゴルファ支援装置であって、
ＧＰＳ衛星からの情報信号を受信するアンテナと、
該情報信号に基づいて自局の位置を表す測位位置情報を取得するＧＰＳ受信機と、
ゴルフ場の各コース毎のコースレイアウト情報を地図情報及び位置情報として保持したメモリと、
前記測位位置情報及びコースレイアウト情報に基づいて、当該測位位置情報が示す位置とコースエリア中の特定の地点との間の距離を算出する距離算出手段と、
該距離が算出されたコースのコースレイアウト画像を当該距離表示とともに表示出力する表示手段と、
を備えたことを特徴とするゴルファ支援装置。
【請求項２】
ゴルフコースにおける現在地と、ホールピンとの間の距離をグローバルポジショニングシステムを利用してゴルファに表示出力するゴルファ支援装置であって、
ＧＰＳ衛星からの情報信号を受信するアンテナと、
該情報信号に基づいて自局の位置を表す測位位置情報を取得するＧＰＳ受信機と、
ゴルフ場の各コース毎のコースレイアウト情報を地図情報及び位置情報として保持するとともに各コース毎のホールピン位置を表すピン位置情報を保持したメモリと、
前記測位位置情報並びにコースレイアウト情報及びピン位置情報に基づいて、当該測位位置情報が示す位置とピン位置情報が示す間の距離を算出する距離算出手段と、
該距離が算出されたコースのコースレイアウト画像を当該距離表示とともに表示出力する表示手段と、
を備えたことを特徴とするゴルファ支援装置。
【請求項３】
請求項１又は請求項２に記載のゴルファ支援装置において、
コースレイアウト情報に基づいて表示手段で表示されるコースレイアウト画像の範囲を選択するための範囲選択キーがさらに備えられており、前記範囲選択キーが操作されることで表示手段には前記距離表示とともに選択された範囲のコースレイアウト画像が表示出力されることを特徴とするゴルファ支援装置。
【請求項４】
請求項１乃至請求項３のいずれか１項に記載のゴルファ支援装置において、
外部から情報を読み取る読み取り手段がさらに備えられており、前記メモリに保持された各コースごとのコースレイアウト情報及び各コース毎のピン位置情報は書き換え可能であることを特徴とするゴルファ支援装置。
【請求項５】
請求項４記載のゴルファ支援装置において、
前記読み取り手段は、記憶媒体中の情報又は回線等から送信されてきた情報を読み取ることを特徴とするゴルファ支援装置。
【請求項６】
請求項１乃至請求項５のいずれか１項に記載のゴルファ支援装置において、
ピン位置情報の入力を受け付けるための入力キーがさらに備えられており、
前記距離算出手段は入力されたピン位置情報に基づいて前記測位位置情報が示す位置とピン位置情報が示す位置との間の距離を算出することを特徴とするゴルファ支援装置。
【請求項７】
請求項１乃至請求項６のいずれか１項に記載のゴルファ支援装置において、
メモリには、コースレイアウト情報及びピン位置情報の他に、各コース毎の距離、  基準打数、ハンディキャップ等のコースガイド情報が保持され、
当該コースガイド情報を表示手段に表示出力させることを特徴とするゴルファ支援装置。
【請求項８】
請求項１乃至請求項７のいずれか１項に記載のゴルファ支援装置において、
スコアの入力を受け付けるためのスコア入力キーと、
受け付けたスコアを集計するスコア集計手段と、
集計したスコアを保持するスコアメモリと、
スコアメモリに保持されたスコアを記憶媒体上に書き込む書き込み手段と、
スコアの出力指示及び出力形式の指示を受け付ける出力キーと、
出力キーの指示に応じてスコアメモリに保持されたスコアを前記表示手段により表示出力させ又は前記書き込み手段により記憶媒体上に書き込み出力させる出力制御手段とを備えたことを特徴とするゴルファ支援装置。
【手続補正書】
【提出日】平成15年10月7日(2003.10.7)
【手続補正１】
【補正対象書類名】明細書
【補正対象項目名】特許請求の範囲
【補正方法】変更
【補正の内容】
【特許請求の範囲】
【請求項１】
内かまと、
回転軸線を中心に回転する外かまと、
外かまに支持されて内かまを保持する内かま押えと、を備えたミシンの垂直全回転かまにおいて、
内かまの外周部に設けられたレース部と、
外かまの内周部の一方側に設けられると共に、該外かまの内周部の他方側において、外かまと前記内かま押えとの支持部に設けられたレース溝とを有し、
前記外かまと内かま押えとの継目が前記レース溝のほぼ中央から前記回転軸線方向に沿って外かまの釜底よりに位置し、前記レース溝に前記レース部が遊嵌されて、内かまが保持されていることを特徴とするミシンの垂直全回転かま。
【請求項２】
前記レース部は２．４ｍｍ〜４．０ｍｍの幅で形成されていることを特徴とする請求項１記載のミシンの垂直全回転かま。
【請求項３】
前記レース部が、内かまの外周部における前記回転軸線方向ほぼ中央に設けられていることを特徴とする請求項１又は２に記載のミシンの垂直全回転かま。
【請求項４】
外かまの釜底を下に向けたときの前記内かま押さえの上面部には、かまの糸取出し量が最大を超えたときに上糸が渡る部位より外かまの回転方向に向かって後方にある点を頂点として、外かまの回転方向に向かって下る勾配が設けられていることを特徴とする請求項１〜３のいずれか１項に記載のミシンの垂直全回転かま。
【請求項５】
外周部にレース部を設けた内かまと、
回転軸線を中心に回転すると共に内周部に前記レース部を遊嵌するレース溝を形成した外かまと、を備えたミシンの垂直全回転かまにおいて、
前記レース部が２．４ｍｍ〜４．０ｍｍの幅で形成され、前記レース溝に前記レース部が遊嵌されて、内かまが保持されていることを特徴とするミシンの全回転かま。
【手続補正書】
【提出日】平成15年9月10日(2003.9.10)
【手続補正１】
【補正対象書類名】明細書
【補正対象項目名】特許請求の範囲
【補正方法】変更
【補正の内容】
【特許請求の範囲】
【請求項１】
遊技盤の区画部材により囲まれた遊技部の左右両側で、当該区画部材に沿った所定位置に取り付けられて内部に光源を収納した遊技機の遊技部用表示装置において、
前記遊技部用表示装置は、
入賞球を流下させる入賞球流路が形成されて遊技盤に止着されるベース部材と、
入賞口を有し、前記ベース部材に装備されて前記入賞口から受け入れた入賞球を前記入賞球流路へ流下させる入賞部材と、
前記入賞球流路の前面を覆うように前記ベース部材に取り付けられる透光性を有するカバー部材とから構成され、
前記ベース部材は、
前記入賞部材を取り付けるための入賞部材取付部と、
前記入賞部材取付部に接続される接合部と、
前記接合部に接続されて、略垂直方向に延設されると共に前記区画部材に沿うように僅かに湾曲して形成された流下部とからなり、
前記入賞部材取付部の前記入賞球流路は、前記入賞部材の裏側に形成され、
前記接合部の前記入賞球流路は、当該入賞球流路を流下する入賞球が遊技盤の表面よりも奥まった位置を流下するように形成され、
前記流下部の前記入賞球流路は、当該入賞球流路を流下する入賞球が遊技盤の表面とほぼ同一面となる位置を流下させるようにすると共に該流下する入賞球を遊技盤の裏面側に落下させる落下口を下方領域に配設するように形成されるものとし、
前記カバー部材は、
前記入賞球流路の一方端から前記落下口まで延設形成され、前記接合部では、該接合部とほぼ同一面上に配置され、前記流下部では前面側に隆起するものとし、
前記入賞部材に、入賞球の通過を検出して少なくとも前記光源を作動させるための情報を出力する入賞球検出手段を配設すると共に、前記入賞球流路の背面側に前記光源を配設したことを特徴とする遊技機の遊技部用表示装置。
【手続補正２】
【補正対象書類名】明細書
【補正対象項目名】０００８
【補正方法】変更
【補正の内容】
【０００８】
【課題を解決するための手段】
上記した目的を達成するために、請求項１記載の発明では、
遊技盤の区画部材により囲まれた遊技部の左右両側で、当該区画部材に沿った所定位置に取り付けられて内部に光源を収納した遊技機の遊技部用表示装置において、
前記遊技部用表示装置は、
入賞球を流下させる入賞球流路が形成されて遊技盤に止着されるベース部材と、
入賞口を有し、前記ベース部材に装備されて前記入賞口から受け入れた入賞球を前記入賞球流路へ流下させる入賞部材と、
前記入賞球流路の前面を覆うように前記ベース部材に取り付けられる透光性を有するカバー部材とから構成され、
前記ベース部材は、
前記入賞部材を取り付けるための入賞部材取付部と、
前記入賞部材取付部に接続される接合部と、
前記接合部に接続されて、略垂直方向に延設されると共に前記区画部材に沿うように僅かに湾曲して形成された流下部とからなり、
前記入賞部材取付部の前記入賞球流路は、前記入賞部材の裏側に形成され、
前記接合部の前記入賞球流路は、当該入賞球流路を流下する入賞球が遊技盤の表面よりも奥まった位置を流下するように形成され、
前記流下部の前記入賞球流路は、当該入賞球流路を流下する入賞球が遊技盤の表面とほぼ同一面となる位置を流下させるようにすると共に該流下する入賞球を遊技盤の裏面側に落下させる落下口を下方領域に配設するように形成されるものとし、
前記カバー部材は、
前記入賞球流路の一方端から前記落下口まで延設形成され、前記接合部では、該接合部とほぼ同一面上に配置され、前記流下部では前面側に隆起するものとし、
前記入賞部材に、入賞球の通過を検出して少なくとも前記光源を作動させるための情報を出力する入賞球検出手段を配設すると共に、前記入賞球流路の背面側に前記光源を配設した、という構成を採っている。


【手続補正３】
【補正対象書類名】明細書
【補正対象項目名】０００９
【補正方法】変更
【補正の内容】
【０００９】
以上のように構成されたことにより、遊技が開始されると遊技球が障害釘に接触し、一部の遊技球が、遊技盤の区画部材により囲まれた遊技部の左右両側に位置する遊技部用表示装置の近傍に流下する。
遊技部用表示装置には入賞口を有する入賞部材が装備されている。このため、入賞部材の入賞口に遊技球の一部が入賞球として受け入れられる。
この際、入賞部材に配設された入賞球検出手段が入賞球の通過を検出し、光源を作動させるための情報を出力して、入賞球流路の背面側に配設された光源を作動させる。
そして、入賞部材から受け入れられた入賞球はベース部材に形成された入賞球流路を通り流下してゆく。
ベース部材の前面を覆うカバー部材は透光性を有しているので、入賞球流路を流下する入賞球は、カバー部材を通して遊技者が視認可能である。
入賞球流路を流下する入賞球は、ベース部材の入賞部材取付部の裏側に形成された入賞球流路と、入賞球が遊技盤の表面よりも奥まった位置を流下するようにベース部材の接合部に形成された入賞球流路とを経て、区画部材に沿うように僅かに湾曲して略垂直方向に延設されたベース部の流下部に至る。
この際、接合部の入賞球流路は、遊技盤の表面よりも奥まった位置に形成され、流下部の入賞球流路は遊技盤の表面とほぼ同一面となる位置にあるので、入賞球は、手前側に弾かれるようにして接合部の入賞球流路から流下部の入賞球流路に移動する。
流下部に到達した入賞球は、流下部に形成された入賞球流路に沿って、遊技盤の表面とほぼ同一面となる位置を流下し、最終的に、入賞球流路の下方領域に配設された落下口から遊技盤の裏面側に落下する。
以上に述べた通り、入賞球流路の一部を遊技盤の前面側に配置することにより、入賞球流路内を流下する入賞球を遊技者が視認し易くなり、装飾効果が向上する。
更に、入賞部材に、遊技球の入賞を検出して光源を作動させるための情報を出力する入賞球検出手段を併設したので、通常の遊技部用表示装置の発光動作に加えて、入賞部材に遊技球が受け入れられた場合にも遊技部用表示装置の光源が発光する。このため、遊技部用表示装置内に装備された光源が入賞球流路を流下する入賞球にも光を照射し、より一層装飾効果が向上する。


【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００５７
【補正方法】削除
【補正の内容】
【手続補正書】
【提出日】平成15年10月1日(2003.10.1)
【手続補正１】
【補正対象書類名】明細書
【補正対象項目名】特許請求の範囲
【補正方法】変更
【補正の内容】
【特許請求の範囲】
【請求項１】
携帯型記憶装置と、前記携帯型記憶装置に対して情報の読み書きを行うリーダライタとを備えた生体認証システムであって、
前記リーダライタは、
生体情報を入力する生体情報入力装置と、
当該生体情報入力装置で入力した生体情報の前処理を行う手段と、
前記携帯型記憶装置からの要求に従って、前記前処理により生成した中間情報を前記携帯型記憶装置に送信する手段とを備え、
前記携帯型記憶装置は、
生体情報のテンプレートと、電子認証に使われる秘密鍵と、
前記中間情報と前記テンプレートとの照合を行う手段と、
当該照合結果に応じて、他の前記中間情報を前記リーダライタに要求する手段と、
当該照合結果が所定の基準を満たしたときに、前記秘密鍵を使用可能にする手段とを備えること
を特徴とする生体認証システム。
【請求項２】
請求項１に記載の生体認証システムにおいて、
前記生体情報は、指紋情報であり、
前記リーダライタの前処理を行う手段は、前記中間情報として、指紋照合に必要な指紋画像情報を生成し、
前記携帯型記憶装置の照合を行う手段は、前記指紋画像情報を処理することで、指紋照合を行うこと
を特徴とする生体認証システム。
【請求項３】
請求項２記載の生体認証システムにおいて、
前記テンプレートは、当該テンプレートに登録される、複数の、指紋の特徴点の座標と当該座標周辺の小画像と、からなり、
前記携帯型記憶装置の照合を行う手段は、
前記登録された指紋と、あらたに入力された入力指紋との位置ずれを補正するための情報を、指紋のコア位置を使って算出する手段と、
前記特徴点の座標と前記位置ずれを補正するための情報とを元に、前記座標周辺の指紋画像情報を前記リーダライタに要求する手段と、
前記座標周辺の小画像と前記要求した指紋画像情報とをマッチングする手段と、
複数の前記マッチング結果に従い、前記テンプレートと前記指紋画像との同一性を判定する手段を備えること
を特徴とする生体認証システム。
【請求項４】
請求項３記載の生体認証システムにおいて、
前記携帯型記憶装置の前記指紋のコア位置を使って算出する手段は、
複数の隆線の垂線ベクトルを順次探索し、当該垂線ベクトルの方向が所定値より変化する位置を前記指紋のコア位置とすること
を特徴とする生体認証システム。
【請求項５】
請求項２記載の生体認証システムにおいて、
前記テンプレートに記録された登録指紋と、あらたに入力された入力指紋との位置ずれを補正するための情報を、入力指紋および登録指紋のそれぞれについて、各特徴点の周辺に特定の輝度分布を持つ画像を作成し、当該画像の相互相関により算出する手段と、
前記登録指紋の特徴点周辺の小画像を、前記入力指紋の画像上の位置ずれ補正した座標周辺でマッチングすることによって探索する手段と、
前記探索により一致した前記小画像の個数をもって、前記テンプレートと前記指紋画像との同一性を判定する手段とを備えること
を特徴とする記載の生体認証システム。
【手続補正書】
【提出日】平成15年8月5日(2003.8.5)
【手続補正１】
【補正対象書類名】明細書
【補正対象項目名】特許請求の範囲
【補正方法】変更
【補正の内容】
【特許請求の範囲】
【請求項１】
ディスクを回転させるスピンドルモータと、
当該スピンドルモータに載置された前記ディスクから情報を再生する光ヘッドと、
前記ディスクを載置するディスク搬送トレイを複数備えたディスクマガジンと、
前記ディスクが載置されたディスク搬送トレイを、前記ディスクがディスク回転位置に位置するまで前記ディスクマガジンから引き出すトレイ引き出し機構と、
を有するディスクチェンジャ装置であって、
前記ディスクマガジンは、Ｎ枚のディスク（Ｎは２以上の整数）とＮ＋１枚のディスク搬送トレイを前記ディスクマガジンの上下方向において交互に有し、
前記ディスク搬送トレイは、少なくとも一方の面にディスクを保持するための溝を有し、
更に、２枚のディスクに挟まれる位置にあるディスク搬送トレイは、両面に前記溝を有しており、
前記ディスクマガジンを上下反転させて前記ディスクの両面に記録された情報を再生することを特徴とするディスクチェンジャ装置。
【請求項２】
請求項１に記載のディスクチェンジャ装置において、ディスクマガジンの上下を反転させても、ディスクマガジンの外形及び内部ディスク搬送トレイの形状及び高さが変化しない、回転対称形状であることを特徴とするディスクチェンジャ装置。
【請求項３】
請求項１又は請求項２に記載のディスクチェンジャ装置において、ディスクマガジンの上下を反転させても、ディスクマガジンの外形及びディスク搬送トレイのラッチ位置及び形状が同一であり、回転対称形状であることを特徴とするディスクチェンジャ装置。
【請求項４】
請求項１乃至３に記載のディスクチェンジャ装置において、複数枚の光ディスク媒体が載置されたディスク搬送トレイの高さ位置に段階的にディスク回転部位を及び前記光ヘッドを位置付け、所望するディスク搬送トレイと載置された光ディスク媒体をディスク回転位置まで引出し、ディスクをクランプし、所定回転数まで回転させディスク媒体に記録及び再生を行うことを特徴としたディスクチェンジャ装置。
【請求項５】
Ｎ枚のディスクとＮ＋１枚のディスク搬送トレイを前記ディスクの厚み方向において交互に有し、
前記ディスク搬送トレイは、少なくとも一方の面にディスクを保持するための溝を有し、
更に、２枚のディスクに挟まれる位置にあるディスク搬送トレイは、両面に前記溝を有することを特徴とするディスクマガジン。
【請求項６】
請求項５に記載のディスクマガジンにおいて、
ディスクマガジンの上下を反転させても、ディスクマガジンの外形及び内部ディスク搬送トレイの形状及び高さが変化しない、回転対称形状であることを特徴とするディスクマガジン。
【請求項７】
請求項５に記載のディスクマガジンにおいて、
ディスクマガジンの上下を反転させても、ディスクマガジンの外形及びディスク搬送トレイのラッチ位置及び形状が同一であり、回転対称形状であることを特徴とするディスクマガジン。
【手続補正書】
【提出日】平成15年9月29日(2003.9.29)
【手続補正１】
【補正対象書類名】明細書
【補正対象項目名】特許請求の範囲
【補正方法】変更
【補正の内容】
【特許請求の範囲】
【請求項１】
複数のトレーに収容されたディスクを選択的に自動再生する自動再生装置において、ディスクを再生する再生部と、トレー番号が付けられた複数のトレーを装備しており、該トレーに収容されたディスクを再生部へ選択的に供給するチェンジャー部と、連続再生を行うディスクの枚数を設定入力するための設定入力部と、トレーにおけるディスクの有無を認識するディスク認識部と、 複数のトレーに収容されたディスクを、トレーにディスクがあれば、設定入力部を通じて設定入力された枚数だけ、トレー番号の順番に順次再生させるように、再生部及びチェンジャー部を制御する制御部とを備え、 前記設定入力部は、連続再生を行うディスクの先頭のトレー番号の設定入力が可能であり、前記制御部は、設定入力された先頭のトレー番号から順次再生を開始するように、再生部及びチェンジャー部を制御することを特徴とする自動再生装置。
【請求項２】
複数のトレーに収容されたディスクを選択的に自動再生する自動再生装置において、ディスクを再生する再生部と、トレー番号が付けられた複数のトレーを装備しており、該トレーに収容されたディスクを再生部へ選択的に供給するチェンジャー部と、連続再生を行うディスクの枚数を設定入力するための設定入力部と、トレーにおけるディスクの有無を認識するディスク認識部と、 複数のトレーに収容されたディスクを、トレーにディスクがあれば、設定入力部を通じて設定入力された枚数だけ、トレー番号の若い順番に順次再生させるように、再生部及びチェンジャー部を制御する制御部とを備えることを特徴とする自動再生装置。
【請求項３】
前記設定入力部は、連続再生を行うディスクの種類の設定入力が可能であり、前記制御部は、設定入力された種類のディスクについて順次再生を開始するように、再生部及びチェンジャー部を制御することを特徴とする請求項1又は2記載の自動再生装置。
【請求項４】
トレー番号が付けられた複数のトレーに収納されたディスクを選択的に連続再生する際の再生順序を制御する自動再生装置の制御方法において、連続再生を行うディスクの枚数を設定し、 トレーにおけるディスクの有無を認識し、 複数のトレーに収納されたディスクを、トレーにディスクがあれば、設定された枚数だけ、トレーの順番に順次再生させることを特徴とする自動再生装置の制御方法。
【請求項５】
トレー番号が付けられた複数のトレーに収納されたディスクを選択的に連続再生する際の再生順序を、コンピューターによって制御するための制御プログラムを記録した記録媒体であって、該制御プログラムは、コンピューターに対し、連続再生を行うディスクの枚数を設定し、トレーにおけるディスクの有無を認識し、複数のトレーに収納されたディスクを、トレーにディスクがあれば、設定された枚数だけ、トレーの若い順番に順次再生させることを特徴とする自動再生装置用制御プログラムを記録した記録媒体。
【手続補正書】
【提出日】平成15年10月16日(2003.10.16)
【手続補正１】
【補正対象書類名】明細書
【補正対象項目名】０００２
【補正方法】変更
【補正の内容】
【０００２】
【従来の技術】
【特許文献１】ＵＳ特許第６,４１５,６２４号明細書
【特許文献２】ＵＳ特許第６,１７９，１４６号明細書
【特許文献３】ＵＳ特許第６，２２４，９２２号明細書
【特許文献４】ＵＳ特許第６，４９４，３２２号明細書
【特許文献５】ＵＳ特許第４０７，９４６号明細書
【特許文献６】ＵＳ特許第５，９８４，１４１号明細書
【特許文献７】ＵＳ特許第５，９９２，７０２号明細書
【特許文献８】ＵＳ特許第６，１６１，７７７号明細書
【特許文献９】ＵＳ特許第６，００６，９５２号明細書
【特許文献１０】ＪＰ２００２３８８２２Ａ
飲み物は典型的には、所望の飲み物温度を維持するために角氷を用いて冷やされる。しかしながら、角氷の使用は結果的に、角氷の溶解から発生する水の導入が原因で飲み物を希釈化することになる。更には、飲み物容器が傾けられたとき角氷の予期しない移動によって発生するボトルの重心の突然の変化が原因となって飲み物をこぼしたり、満たされた飲み物のボトルが不恰好になるのを発見する人々もいる。
【手続補正書】
【提出日】平成16年1月29日(2004.1.29)
【手続補正１】
【補正対象書類名】明細書
【補正対象項目名】特許請求の範囲
【補正方法】変更
【補正の内容】
【特許請求の範囲】
【請求項１】
反応容器と、該反応容器の外側に設定され、反応容器の側壁に設けられた照射口を通して反応容器内に粒子線を照射するための粒子線照射装置と、を有し、上記粒子線照射装置が、粒子線発生源と、該粒子線発生源において発生された粒子線を、上記反応容器の照射口において直径が絞られるようにして、同照射口に指向させる光学系とを有し、
上記照射口を通して、絞られた上記粒子線を大気中に取り出すことを特徴とする粒子線照射反応装置。
【請求項２】
上記照射口が、上記絞られた粒子線の直径より僅かに大きい直径を有することを特徴とする請求項１に記載の粒子線照射反応装置。
【請求項３】
上記粒子線照射装置の上記粒子線発生源が、その粒子加速電圧を５０KV〜２００KVとされ、粒子線電流が１〜１０Aとされたことを特徴とする請求項１又は２に記載の粒子線照射反応装置。
【請求項４】
上記粒子線照射装置が、粒子発生源から上記照射口に指向される粒子線を、上記照射口に軸合わせする方法は、粒子線が照射口を画定している壁面に入射して発生されるX線を最小にするようにしたことを特徴とする請求項１〜３のいずれかに記載の粒子線照射反応装置。
【請求項５】
上記反応容器が、粒子線を照射する被照射ガスを一定方向に通すようにされていることを特徴とする請求項１〜４のいずれかに記載の粒子線照射反応装置。
【請求項６】
複数の粒子線照射装置を、被照射ガスに対し、当該ガスを通す上記一定方向に対して直角方向で且つそれぞれ異なる方向から粒子線を照射するように、設けたことを特徴とする請求項１〜４のいずれかに記載の粒子線反応装置。
【請求項７】
所定の照射口を通して粒子線を照射するための粒子線照射装置を有し、
上記粒子線照射装置が、粒子線発生源と、該粒子線発生源において発生された粒子線を、上記照射口において直径が絞られるようにして、同照射口に指向させる光学系とを有し、
上記照射口を通して、絞られた上記粒子線を大気中に取り出すことを特徴とする粒子線照射反応装置。
【請求項８】
上記照射口が、上記絞られた粒子線の直径より僅かに大きい直径を有することを特徴とする請求項７に記載の粒子線照射反応装置。
【手続補正書】
【提出日】平成15年8月7日(2003.8.7)
【手続補正１】
【補正対象書類名】明細書
【補正対象項目名】００１６
【補正方法】変更
【補正の内容】
【００１６】
また、前記球貯留部に球量を検出可能な球量検出手段を設け、前記記憶手段の記憶された遊技用乱数を事前に判定する記憶乱数判定手段を備え、前記賞球排出保留判定手段は、前記記憶乱数判定手段が特別遊技状態を発生させることを事前に判定した場合で、且つ、前記球量検出手段が所定の球量以下であることを検出した場合に、賞球排出を保留すると判定し、前記保留解除判定手段は、特別遊技状態が発生した場合、或いは球量検出手段により所定の球量以上であることが判定された場合に、賞球排出の保留を解除すると判定するようにしても良い。これによれば、予め記憶内に大当りが含まれることを判定する手段を備えているので、大当り記憶が有るときであって、球が無い状態のときに賞球の保留を行うことができ、遊技者に遊技の中断をより意識させなくすることができ、またより的確な時期に賞球を保留解除とすることが可能となる。ここで、遊技用乱数を事前に判定するとは、遊技用乱数を取得した時点で判定するようにしても良いし、この遊技用乱数により変動表示遊技が行われる時点であっても良いし、また、変動表示遊技が行われている最中であっても良い。


【手続補正２】
【補正対象書類名】明細書
【補正対象項目名】００１８
【補正方法】変更
【補正の内容】
【００１８】
また、前記賞球排出保留手段により賞球排出の保留状態を報知する報知手段を備えるようにしても良い。これによれば、通常の排出動作とは異なる賞球の保留状態を報知することができ、遊技者が賞球の出てこない状態を球詰まり等と勘違いする事態を回避することができ、賞球や貸球の排出に関して遊技店との間でトラブルが発生することを未然に防止することができる。


【手続補正３】
【補正対象書類名】明細書
【補正対象項目名】００５０
【補正方法】変更
【補正の内容】
【００５０】
遊技制御装置２１０は、遊技盤に設けられている各種センサの信号を監視しており、入賞が発生したことを検知すると賞球排出コマンドを排出制御装置２２０へ送信する。なお、特に限定されるものでないが、賞球排出コマンドは排出する賞球の数毎にそれぞれコマンドが割り当てられている。遊技制御装置２１０から排出制御装置２２０へ送信されるコマンドはこれらの他に例えばシュート球切れコマンド、シュート球切れ解除コマンド、オーバーフロー発生コマンド、オーバーフロー解除コマンド等がある。


【手続補正４】
【補正対象書類名】明細書
【補正対象項目名】００６１
【補正方法】変更
【補正の内容】
【００６１】
ステップＳ２４では、賞球排出保留条件成立フラグがセットされているか否かが判定され、賞球排出保留条件成立フラグがセットされている場合にはステップＳ２５へ移行し、賞球排出保留条件成立フラグがセットされていない場合にはステップＳ２６へ移行する。ここで、賞球排出保留条件成立フラグのセットは前述の賞球排出保留条件判定処理にて所定の遊技条件の監視結果に基づいて実施されており、賞球排出保留条件成立フラグのクリアは前述の賞球排出保留条件判定処理にて特定の遊技条件の監視結果に基づいて実施される。


【手続補正５】
【補正対象書類名】明細書
【補正対象項目名】００６５
【補正方法】変更
【補正の内容】
【００６５】
ステップＳ２８では、賞球排出保留条件成立フラグがセットされているか否かが判定され、賞球排出保留条件成立フラグがセットされている場合にはステップＳ２９へ移行し、賞球排出保留条件成立フラグがセットされていない場合にはこの賞球コマンド設定処理を終了する。ここで、賞球排出保留条件成立フラグのセットは前述の賞球排出保留条件判定処理にて所定の遊技条件の監視結果に基づいて実施されており、賞球排出保留条件成立フラグのクリアは前述の賞球排出保留条件判定処理にて特定の遊技条件の監視結果に基づいて実施される。


【手続補正６】
【補正対象書類名】明細書
【補正対象項目名】００７０
【補正方法】変更
【補正の内容】
【００７０】
なお、遊技制御装置２１０で実行される前述の賞球排出保留条件判定処理との関連で、遊技制御装置２１０から排出制御装置２２０への賞球払出しコマンドの送信が保留された場合には、賞球払出しコマンドを受信できないので当然のことながら賞球の払出しは行われず、賞球排出が保留された状態となる。なお、このコマンド判定処理ルーチンは、排出制御装置２２０のメイン処理プログラム（後述する排出制御処理）の実行中に例えば１ｍ秒ごとのタイマ割込みによって実行されるようになっている。


【手続補正７】
【補正対象書類名】明細書
【補正対象項目名】００７３
【補正方法】変更
【補正の内容】
【００７３】
また、ステップＳ１２０において累積賞球記憶が「１６個」より少ないと判定されたときは、ステップＳ１３０に進んで記憶されている分の賞球数を排出数と設定して排出部１０６のストッパソレノイド５４を解除し排出モータ５３を駆動して賞球の排出を実行した後、ステップＳ１４０に移行して累積賞球記憶を０にしてから、ステップＳ１５０へ移行する。ステップＳ１５０では、賞球検出センサＳＳ６ａ、ＳＳ６ｂで検出される排出された実球の確認を行い、前述した排出動作により実際に正確に賞球が排出されたかどうかを判定する。ここで、正常に排出が行われた場合には排出が完了したとして再びＳ１００に戻り、正常に排出が行われなかった場合にはステップＳ１６０へ移行する。このステップＳ１６０では、補正排出処理として未だ排出されなかった数だけ再び排出動作を行うものである。なお、この補正排出処理で正確に賞球の排出が完了した場合には再びＳ１００に戻るが、この補正排出処理でも正確に賞球の排出が行われなかった場合には何らかの故障等と判断して、排出エラー状態とし、排出エラー報知を実行し、また排出動作を不能にする（エラー状態からは排出制御装置２２０をリセット状態にすることで復帰可能。）。
【手続補正８】
【補正対象書類名】明細書
【補正対象項目名】００７７
【補正方法】変更
【補正の内容】
【００７７】
例えば上皿の球が切れたが、始動入賞記憶が残っていて大当りが発生する可能性があるような場合等には、賞球の払い出しを一時的に保留し、始動記憶がなくなって発射遊技を再開したいとき、或いは、上皿の球が増加して発射遊技を通常のように実行できるようになったときに、あるいは大当りが発生した場合に、賞球の排出を行なうようにできる。したがって、遊技者の余分な投資（無駄金）を防止することができ、遊技者に余計な不利益が及ばないようにすることができる。また、遊技者が遊技を中断しても良いと感じるような遊技状態にのみ賞球を保留させることで、賞球保留を行っても遊技者が嫌悪感を抱かないようにでき、興趣が損なわれることを防止することができる。なお、ステップＳ２５で、保留状態表示器Ｈを点灯させて、遊技者に賞球排出が保留されることの報知を行う。また、ステップＳ２９で、保留状態表示器Ｈを点灯状態から消灯状態にして、遊技者に賞球排出が保留解除されることの報知を行う。これにより、遊技者が賞球の出てこない状態を球詰まり等と勘違いする事態を回避することができ、賞球や貸球の排出に関して遊技店との間でトラブルが発生することを未然に防止することができる。
【手続補正書】
【提出日】平成15年12月4日(2003.12.4)
【手続補正１】
【補正対象書類名】明細書
【補正対象項目名】特許請求の範囲
【補正方法】変更
【補正の内容】
【特許請求の範囲】
【請求項１】
論理演算を行う組み合わせ回路と、この組み合わせ回路からの出力データを保持する順序回路とを有する論理装置であって、前記順序回路が、複数ビットの検査用データが順次入力される検査用データ入力端子を含む順序回路入力部と、順序回路出力データを前記組み合わせ回路に印加するための順序回路出力部とを有する論理装置において、前記順序回路出力部が、前記検査用データが前記検査用入力端子から順次入力されている間は前記検査用データが順次入力される直前の前記順序回路出力データを保持する順序回路出力データ保持手段を有することを特徴とする論理装置。
【請求項２】
請求項１に記載の論理装置であって、前記順序回路入力部が、前記組み合わせ回路からの出力データを当該順序回路入力部から出力することを禁止する組み合わせ回路データ禁止手段と、当該組み合わせ回路データ禁止手段が前記組み合わせ回路からの出力データを禁止した後で禁止する直前の前記組み合わせ回路からの出力データを保持する組み合わせ回路データ保持手段とを有し、前記順序回路出力部が、前記順序回路出力データを前記組み合わせ回路に印加することを禁止する順序回路出力データ禁止手段を有することを特徴とする論理装置。
【請求項３】
論理演算を行う組み合わせ回路と、この組み合わせ回路からの出力データを保持する順序回路とを有し、前記順序回路が順序回路入力部と順序回路出力部とを有し、前記順序回路入力部が複数ビットの検査用データが順次入力される検査用データ入力端子と前記組み合わせ回路からの出力データを当該順序回路入力部から出力することを禁止する組み合わせ回路データ禁止手段とを含み、前記順序回路出力部が前記順序回路出力データを前記組み合わせ回路に印加することを禁止する順序回路出力データ禁止手段を含む論理装置の回路動作を試験する方法において、当該方法が、前記検査用データが前記検査用データ入力端子から順次入力されている間は前記順序回路出力部から前記検査用データを出力することを前記順序回路出力データ禁止手段により禁止する工程と、前記検査用データのこの順次入力が終了した後で前記順序回路出力データ禁止手段による前記禁止を解除して前記検査用データを前記順序回路から前記組み合わせ回路へ出力する工程と、当該解除の後に前記組み合わせ回路データ禁止手段により前記組み合わせ回路からの出力データを当該順序回路入力部から出力することを禁止する工程とを有することを特徴とする試験方法。